(57)【要約】【課題】配線部材を接続した駆動素子を簡単に組み立てることができる光学機器の駆動装置、レンズ鏡筒、撮像装置を提供する。【解決手段】位置決め軸７６ｃを中心として振れ止め部７６ｄと反対側にガタ防止部７８ｅを設け、シャッタ駆動素子７６の移動を規制する。同様に、位置決め軸７７ｃを中心として振れ止め部７７ｄと反対側にガタ防止部７８ｆを設け、ＮＤフィルタ駆動素子７７の移動を規制する。シャッタ駆動素子７６及びＮＤフィルタ駆動素子７７は、フレキシブルプリント基板７３に接続された状態で保持部材７８により保持部材ユニット７９とされて組み立てられる。【選択図】図１２
2010044325.tif 000002
【特許請求の範囲】
【請求項１】
駆動力を出力する少なくとも１つの駆動素子と、
前記駆動素子に対して電気的に接続された配線部材と、
前記駆動素子が接続された状態の前記配線部材を保持して保持部材ユニットを形成する保持部材と、
前記保持部材ユニットを取り付けるベース部材と、
を備える光学機器の駆動装置であって、
前記駆動素子は、前記ベース部材に係合して当該駆動素子の前記ベース部材に対する位置を少なくとも前記保持部材ユニットを前記ベース部材に取り付ける過程で制限する第１の係合部を備え、
前記保持部材は、
前記駆動素子が前記ベース部材に対向する側と反対側において前記配線部材の弾性力による前記駆動素子の移動を制限する第１の制限部と、
前記駆動素子の前記第１の係合部が設けられている側と反対側となる位置において前記駆動素子の移動を制限する第２の制限部と、
を備えることを特徴とする光学機器の駆動装置。
【請求項２】
前記駆動素子は、前記ベース部材に嵌合する軸形状に形成された第２の係合部を有し、
前記第１の係合部は、前記第２の係合部により回転方向に制限された前記駆動素子の前記ベース部材に対する回転移動を制限すること、
を特徴とする請求項１に記載の光学機器の駆動装置。
【請求項３】
前記第２の制限部は、前記第２の係合部を中心として前記第１の係合部が設けられている側と反対側となる位置において前記駆動素子の移動を制限すること、
を特徴とする請求項２に記載の光学機器の駆動装置。
【請求項４】
前記第１の制限部は、前記第２の係合部の軸形状の軸中心に直交する面で前記駆動素子の移動を制限すること、
を特徴とする請求項１から請求項３のいずれか１項に記載の光学機器の駆動装置。
【請求項５】
前記第２の制限部は、前記第１の制限部の前記駆動素子に対向する側に近接して形成されていること、
を特徴とする請求項１から請求項４のいずれか１項に記載の光学機器の駆動装置。
【請求項６】
前記ベース部材は、
少なくとも前記保持部材ユニットを前記ベース部材に取り付ける過程で前記第１の係合部との当接が可能な第１の壁部と、
前記保持部材ユニットを前記ベース部材に取り付けた状態で前記第１の係合部との当接が可能な第２の壁部と、
を有すること、
を特徴とする請求項１から請求項５のいずれか１項に記載の光学機器の駆動装置。
【請求項７】
前記駆動素子は、少なくとも一部が円筒面を有した形状であり、
第１の係合部は、前記円筒面から突出した形状であること、
を特徴とする請求項１から請求項６のいずれか１項に記載の光学機器の駆動装置。
【請求項８】
前記駆動素子は、シャッタ羽根、光量減光フィルタ、絞り、の中の少なくとも１つを駆動すること、
を特徴とする請求項１から請求項７のいずれか１項に記載の光学機器の駆動装置。
【請求項９】
撮影光学系と、
請求項１から請求項８までのいずれか１項に記載の光学機器の駆動装置と、
を備えるレンズ鏡筒。
【請求項１０】
撮影光学系と、
請求項１から請求項８までのいずれか１項に記載の光学機器の駆動装置と、
前記撮影光学系により得られた像を撮像する撮像部と、
を備える撮像装置。
【発明の詳細な説明】
【技術分野】
【０００１】
本発明は、カメラなどに搭載されているシャッタ等の可動部材を駆動する光学機器の駆動装置、レンズ鏡筒、撮像装置に関するものである。
【背景技術】
【０００２】
銀塩フィルムを用いるフィルムカメラや撮像素子を用いるデジタルカメラなどに利用されているレンズ鏡筒は、従来から広く利用されている。レンズ鏡筒は、非撮像時（即ち、カメラの電源がＯＦＦのとき）の小型化や撮像時（即ち、カメラの電源がＯＮのとき）の焦点距離を変更可能にするために、撮像レンズを繰り出し、及び、繰り込みすることが可能なものが多い。このレンズ鏡筒を用いることによって、例えば、撮像レンズの焦点距離を変更することができるズームカメラや焦点距離を固定した単焦点カメラであっても、非撮像時にカメラを小型化することが可能になる。
【０００３】
カメラに備えられるレンズ鏡筒は、撮影レンズ・シャッタ機構等の様々な機構を有している。また、カメラ撮影時の手ブレを軽減するためのブレ補正機構が備えられる鏡筒が多くある。ブレ補正機構としては、光学的に撮影レンズを駆動する方法等の技術も広く開示されている。
光学的にブレ補正をする機構の多くはシャッタ機構の周囲に配置されている。ブレ補正機構は、撮影レンズを駆動するためのマグネットや電磁コイル等の多くの機構を備えている。例えば、特許文献１には、ブレ補正機構とシャッタ機構を同一のベースに配置し、小型化する方法が開示されている。
【０００４】
露光を制御するシャッタ機構は多くの場合、特許文献１に開示されているように撮影レンズの外周に配置される。そのために、組立工程では撮影レンズに傷をつけない配慮をした組み立て方法が必要である。また、シャッタ機構は、シャッタの駆動素子、及び、光量を減衰するためのＮＤフィルタの駆動素子や、両者に電源を供給するためのフレキシブルプリント基板等の多くの部品により構成されている。
したがって、シャッタ機構の組み立て工程では、撮影レンズに傷をつけないように時間をかけた工程や多くの部品の組み立て工程が必要である。つまり、シャッタ機構の組み立ては作業性が悪く、コストがかかっている。
【０００５】
また、市場の低価格化に対する要求からカメラのコストダウンが必要となっている。コストダウンを行う手法としては、例えば、カメラの部品点数の削減や組み立て工程での無駄の削減（つまり作業性の向上）等を挙げることができる。
そこで、カメラのコストダウンの要求に応じるために、シャッタ機構の組み立て工程を削減、つまり簡単にシャッタ機構の組み立てを行えるように作業性を向上することが望まれている。
【特許文献１】特開２００７−２１９３３８号公報
【発明の開示】
【発明が解決しようとする課題】
【０００６】
しかし、従来の構成ではシャッタ駆動素子、ＮＤフィルタ駆動素子等の各駆動素子を別々に組み立てており、非常に作業性が悪いという問題があった。
【０００７】
また、駆動素子は、シャッタ機構に組み立てた後に電気的な接続を行うことが困難な場合が多い。これに加えて、駆動素子の動作確認を予め行えるという利点もあることから、予めフレキシブルプリント基板等を半田付け等して電気的な接続を行った後に、組み立てる場合が多い。
【０００８】
しかし、フレキシブルプリント基板等に半田付けされた駆動素子は、フレキシブルプリント基板等の弾性力の影響を受けて位置が定まり難かったり、断線に注意する必要があったりして、組み立て性が悪いという問題があった。
【０００９】
本発明の課題は、配線部材を接続した駆動素子を簡単に組み立てることができる光学機器の駆動装置、レンズ鏡筒、撮像装置を提供することである。
【課題を解決するための手段】
【００１０】
本発明の第１の側面としての光学機器の駆動装置は、駆動力を出力する少なくとも１つの駆動素子と、前記駆動素子に対して電気的に接続された配線部材と、前記駆動素子が接続された状態の前記配線部材を保持して保持部材ユニットを形成する保持部材と、前記保持部材ユニットを取り付けるベース部材と、を備える光学機器の駆動装置であって、前記駆動素子は、前記ベース部材に係合して当該駆動素子の前記ベース部材に対する位置を少なくとも前記保持部材ユニットを前記ベース部材に取り付ける過程で制限する第１の係合部を備え、前記保持部材は、前記駆動素子が前記ベース部材に対向する側と反対側において前記配線部材の弾性力による前記駆動素子の移動を制限する第１の制限部と、前記駆動素子の前記第１の係合部が設けられている側と反対側となる位置において前記駆動素子の移動を制限する第２の制限部とを備えることを特徴とする。
【００１１】
本発明の第２の側面としてのレンズ鏡筒は、撮影光学系と、本発明の第１の側面としての光学機器の駆動装置と、請求項１から請求項８までのいずれか１項に記載の光学機器の駆動装置とを備える。
【００１２】
本発明の第３の側面としての撮像装置は、撮影光学系と、本発明の第１の側面としての光学機器の駆動装置と、前記撮影光学系により得られた像を撮像する撮像部とを備える。
【発明の効果】
【００１３】
本発明によれば、配線部材を接続した駆動素子を簡単に組み立てることができる。その結果、各種駆動機構のコストダウンを行うことが可能となり、光学機器のコストダウンを行うことができる。
【発明を実施するための最良の形態】
【００１４】
以下、本発明を実施するための最良の形態について図面等を参照して説明する。
なお、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
さらに、各図中には、各図の対応を明確にして理解を容易とするために、原点は特に規定せず、単に方向を示すための座標系として、カメラを正位置としたときの上方をＹプラス方向としてＸＹＺ直交座標を設けている。ここで、正位置とは、レンズ鏡筒２０の撮影光学系の光軸（以下、単に光軸とする）が水平であり、かつ、撮影画面の長手方向が水平方向となるカメラの姿勢を示すものとする。以下、Ｙプラス方向を上、Ｚプラス方向（すなわち、光軸被写体方向）を前とする。
【００１５】
図１は、本発明による光学機器の駆動装置を用いたカメラの実施形態を示す斜視図である。
カメラ１は、不図示の撮像部を有し、この撮像部により被写体の像を撮像するデジタルカメラである。
カメラ１は、カメラ筐体１０と、レンズ鏡筒２０と、レンズバリア部３０と、発光窓部４０と、ファインダ窓５０と、レリーズボタン６０とを有する。
【００１６】
カメラ筐体１０は、レンズ鏡筒２０や後述のシャッタ機構を始めとするカメラを構成する各種部材を収容する。
レンズ鏡筒２０は、撮像レンズの焦点距離を変更可能とし、カメラ筐体１０の前面に配置される。
レンズバリア部３０は、レンズ鏡筒２０の前面に配置され、カメラ１の電源状態（即ち、ＯＮ又はＯＦＦ）に応じて、撮像レンズの光路を開閉する。
発光窓部４０は、被写体に照明光を照射するストロボ装置の一部を構成し、カメラ筐体１０の前面に配置される。
ファインダ窓５０は、発光窓部４０の近傍に配置される。
レリーズボタン６０は、カメラ筐体１０の上面に配置され、撮像準備動作（焦点調節動作及び測光動作）及び撮像動作（フィルムやＣＣＤ等の撮像素子への露光）を開始させるためのボタンである。
なお、図１に示す構成はカメラの代表的な構成であり、本発明の構成は図１に示す構成に限定するものではない。
【００１７】
次に本実施形態のシャッタ機構について説明する。なお、シャッタ機構以外の部分については、公知の技術であるため、詳しい説明は省略する。
図２は、シャッタ機構の概要を示す斜視図である。
シャッタ機構は、撮影レンズ７１、ベース部材７２、フレキシブルプリント基板７３、押さえ板７４、取り付けねじ７５を有している。
撮影レンズ７１は、不図示の他のレンズと組み合わされて撮影光学系を構成する。また、撮影レンズ７１は、光軸に直交する方向に移動することにより像ブレを低減するブレ補正動作を行う。
ベース部材７２は、シャッタ機構を保持する土台となる。
フレキシブルプリント基板７３は、シャッタ機構に設けられたシャッタ駆動素子７６及びＮＤフィルタ駆動素子７７（いずれも後述）に対して電力供給通電と信号配線を行うように電気的に接続された配線部材である。
押さえ板７４は、後述する保持部材ユニット７９をベース部材７２に取り付ける板状の部材である。押さえ板７４は、取り付けねじ７５によって、ベース部材７２に固定される。
【００１８】
図３は、シャッタ機構の展開斜視図である。
なお、図３では、説明を容易にするために、押さえ板７４及び取り付けねじ７５を省略している。
シャッタ機構は、さらに、シャッタ駆動素子７６、ＮＤフィルタ駆動素子７７、保持部材７８、シャッタ羽根８０，８１、ＮＤフィルタ８３、仕切り板８４、カバー８５を備えている。
【００１９】
シャッタ駆動素子７６は、フレキシブルプリント基板７３に半田付けされて接続されたアクチュエータであり、シャッタ羽根８０，８１を駆動する駆動力を出力する。シャッタ駆動素子７６は、一部が円筒面を有した形状となっており、この円筒の中心線が光軸と並行となるように設置される。
【００２０】
ＮＤフィルタ駆動素子７７は、シャッタ駆動素子７６と同様にフレキシブルプリント基板７３に半田付けされて接続されたアクチュエータであり、ＮＤフィルタ８３を駆動するする駆動力を出力する。ＮＤフィルタ駆動素子７７は、一部が円筒面を有した形状となっており、この円筒の中心線が光軸と並行となるように設置される。
【００２１】
保持部材７８は、シャッタ駆動素子７６及びＮＤフィルタ駆動素子７７が接続された状態のフレキシブルプリント基板７３を保持して保持部材ユニット７９を形成する。
【００２２】
シャッタ羽根８０，８１は、一対となり撮影時に撮影光路を開閉する。シャッタ羽根８０，８１は、シャッタ駆動素子７６の駆動レバー部７６ａ（後述）が係合する駆動穴８２を有している。
【００２３】
ＮＤ（Neutral Density）フィルタ８３は、撮影レンズ７１に入った光量を減ずる光量減光フィルタである。ＮＤフィルタ８３は、ＮＤフィルタ駆動素子７７の駆動レバー部７７ａ（後述）が係合する駆動穴８３ａを有している。
【００２４】
仕切り板８４は、シャッタ羽根８０，８１の駆動領域とＮＤフィルタ８３の駆動領域とを分割する板状の部材である。
【００２５】
カバー８５は、ＮＤフィルタ８３を覆うようにベース部材７２のＺマイナス側に取り付けられたカバーである。
【００２６】
図３に示すように、シャッタ機構では、ベース部材７２に対して撮影レンズ７１側（Ｚプラス側）にシャッタ駆動素子７６とＮＤフィルタ駆動素子７７が備えられ、カバー８５側（Ｚマイナス側）にシャッタ羽根８０及び８１、ＮＤフィルタ８３が配置される。
【００２７】
図４は、フレキシブルプリント基板７３とシャッタ駆動素子７６及びＮＤフィルタ駆動素子７７を示す図である。
シャッタ駆動素子７６のＺマイナス側には、シャッタ羽根８０及び８１を駆動するための駆動レバー部７６ａが設けられている。また、シャッタ駆動素子７６は、半田付け部７６ｂにおいてフレキシブルプリント基板７３に半田付けされている。
図４に示した状態は、保持部材ユニット７９に取り付けられた状態を示しており、フレキシブルプリント基板７３は、半田付け部７６ｂに半田付けされる直前の部分で略９０度折り曲げられている。
シャッタ駆動素子７６と同様に、ＮＤフィルタ駆動素子７７のＺマイナス側には、ＮＤフィルタ８３を駆動するための駆動レバー部７７ａが設けられている。また、ＮＤフィルタ駆動素子７７は、半田付け部７７ｂ（図４では隠れた部分となる）においてフレキシブルプリント基板７３に半田付けされている。シャッタ駆動素子７６に対応する部分と同様に、フレキシブルプリント基板７３は、半田付け部７７ｂに半田付けされる直前の部分で略９０度折り曲げられている。
【００２８】
図５は、シャッタ機構を後側から見た斜視図である。
なお、図５では、説明を容易とするために、ベース部材７２を省略している。
シャッタ駆動素子７６の駆動レバー部７６ａは、シャッタ羽根８０及び８１の駆動穴８２に係合している。また、ＮＤフィルタ駆動素子７７の駆動レバー部７７ａがＮＤフィルタ８３の駆動穴８３ａに係合している。このような構成にすることによって、フレキシブルプリント基板７３を通してシャッタ駆動素子７６に通電すると、シャッタ駆動素子７６の駆動レバー部７６ａが矢印Ａ方向に回転し、シャッタを開閉することができる。
また、同じようにフレキシブルプリント基板７３を通してＮＤフィルタ駆動素子７７に通電すると、ＮＤフィルタ駆動素子７７の駆動レバー部７７ａが矢印Ｂ方向に回転し、ＮＤフィルタを開閉することができる。
シャッタ羽根８０及び８１の開閉動作やＮＤフィルタ８３の開閉動作については公知の技術であるので更なる詳しい説明は省略する。
【００２９】
次に、保持部材ユニット７９をベース部材７２に組み立てる手順について説明する。
図６は、保持部材ユニット７９の斜視図である。
保持部材ユニット７９は、前述のように保持部材７８、フレキシブルプリント基板７３、シャッタ駆動素子７６、ＮＤフィルタ駆動素子７７で構成されている。
保持部材７８の前面（Ｚプラス側）には、シャッタ駆動素子７６とＮＤフィルタ駆動素子７７の回転を防ぐように回転防止部７８ａ及び７８ｂが設けられている。これについて説明する。
【００３０】
図４で説明したように、シャッタ駆動素子７６は、フレキシブルプリント基板７３に半田付け部７６ｂで半田付けされている。半田付けされた後は、フレキシブルプリント基板７３を９０度折り曲げて保持部材７８に組み立てられる。組み立てた結果が図６に示した状態となる。
図７は、図６中の矢印Ｃ方向から見た側面図である。
シャッタ駆動素子７６は、フレキシブルプリント基板７３を９０度曲げたことによる弾性力で矢印Ｅ方向に回転力が発生する。
【００３１】
同様に、図５で説明したように、ＮＤフィルタ駆動素子７７もフレキシブルプリント基板７３に半田付け部７７ｂで半田付けされている。半田付けされた後は、フレキシブルプリント基板７３を９０度折り曲げて保持部材７８に組み立てられる。組み立てた結果が図６に示した状態となる。
図８は、図６中の矢印Ｄ方向から見た側面図である。
この時に、ＮＤフィルタ駆動素子７７は、フレキシブルプリント基板７３を９０度曲げたことによる弾性力で矢印Ｇ方向に回転力が発生する。
【００３２】
前述したようにシャッタ駆動素子７６とＮＤフィルタ駆動素子７７は、保持部材ユニット７９として組み立てられた状態では、フレキシブルプリント基板７３による弾性力を受けている。そのため、シャッタ駆動素子７６とＮＤフィルタ駆動素子７７の回転方向（矢印Ｅ，矢印Ｇ方向）の位置を適切に保持する構造が必要となる。
【００３３】
そこで、本実施形態では、保持部材７８にシャッタ駆動素子７６及びＮＤフィルタ駆動素子７７に対して矢印Ｅ方向及び矢印Ｇ方向への移動を制限する第１の制限部としての回転防止部７８ａ、７８ｂを設けている（図７及び図８参照）。回転防止部７８ａの裏には、シャッタ駆動素子７６の回転を防止する回転防止面７８ｃが備えられ、回転防止部７８ｂの裏には、ＮＤフィルタ駆動素子７７の回転を防止する回転防止面７８ｄが備えられる。回転防止面７８ｃは、位置決め軸７６ｃの軸中心に直交する面であり、回転防止面７８ｄは、位置決め軸７７ｃの軸中心に直交する面である。
【００３４】
回転防止面７８ｃとシャッタ駆動素子７６との間には隙間Ｆが設けられ、回転防止面７８ｄとＮＤフィルタ駆動素子７７との間には隙間Ｈが設けられている。シャッタ駆動素子７６及びＮＤフィルタ駆動素子７７は、シャッタ羽根８０，８１の開閉及びＮＤフィルタ８３の進退を正確に行うために、ベース部材７２に対して位置が固定されるのが望ましい。そのため、保持部材ユニット７９の状態では隙間Ｆ，Ｈを設け、シャッタ機構の完成状態では隙間Ｆ及びＨは図２に示されるように押さえ板７４によって隙間をなくし、シャッタ駆動素子７６及びＮＤフィルタ駆動素子７７がベース部材７２に密着されるように構成されている。つまり、シャッタ駆動素子７６及びＮＤフィルタ駆動素子７７は、保持部材ユニット７９の状態では仮固定されていることになる。
【００３５】
また、図６に示されるように、回転防止部７８ａ，７８ｂはフレキシブルプリント基板７３の折り曲げ部の近傍に配置されている。このため、フレキシブルプリント基板７３の弾性力によってシャッタ駆動素子７６が矢印Ｅ方向に回転しても、回転防止部７８ａが効果的に回転を防止することができる。また、同じようにＮＤフィルタ駆動素子７７が矢印Ｇ方向に回転しても回転防止部７８ｂが効果的に回転を防止することができる。
つまり、シャッタ駆動素子７６及びＮＤフィルタ駆動素子７７を保持部材７８に組み立てた時に、シャッタ駆動素子７６及びＮＤフィルタ駆動素子７７は隙間Ｆ，Ｈ以上に回転することはない。
【００３６】
以上のようにして組み立てられた保持部材ユニット７９をベース部材７２に組み立てる工程について説明する。
シャッタ羽根８０，８１やＮＤフィルタ８３は、ベース部材７２によって保持されている。このため、シャッタ駆動素子７６及びＮＤフィルタ駆動素子７７は、シャッタ羽根８０，８１の開閉動作、及び、ＮＤフィルタ８３の進退動作を確実にするために、ベース部材７２に対して位置決めされることが必要である。
前述のように保持部材ユニット７９に取り付けられたシャッタ駆動素子７６及びＮＤフィルタ駆動素子７７は、矢印Ｅ方向及び矢印Ｇ方向の回転のみ仮固定されて移動が規制されており、保持部材７８に対しては、位置決めされていない。
【００３７】
図９は、フレキシブルプリント基板７３とシャッタ駆動素子７６及びＮＤフィルタ駆動素子７７を後側（Ｚマイナス側）から見た図である。
シャッタ駆動素子７６には、位置決め軸７６ｃと、振れ止め部７６ｄとが備えられている。
位置決め軸７６ｃは、ベース部材７２の位置決め穴７２ａ（図１０参照）に嵌合する軸形状に形成されてシャッタ駆動素子７６の中心に設けられており、第２の係合部として機能する。
振れ止め部７６ｄは、シャッタ駆動素子７６の円筒面から突出した形状に形成されている。振れ止め部７６ｄは、ベース部材７２に係合してシャッタ駆動素子７６のベース部材７２に対する位置を、保持部材ユニット７９をベース部材７２に取り付ける過程、及び、取り付けた状態で制限する第１の係合部として機能する。
振れ止め部７６ｄは、位置決め軸７６ｃが位置決め穴７２ａへ嵌合することによって回転方向に制限されたシャッタ駆動素子７６のベース部材７２に対する回転移動を制限するように設けられている。
【００３８】
同様に、ＮＤフィルタ駆動素子７７には、位置決め軸７７ｃと、振れ止め部７７ｄとが備えられている。
位置決め軸７７ｃは、ベース部材７２の位置決め穴７２ｂ（図１０参照）に嵌合する軸形状に形成されてＮＤフィルタ駆動素子７７の中心に設けられており、第２の係合部として機能する。
振れ止め部７７ｄは、ＮＤフィルタ駆動素子７７の円筒面から突出した形状に形成されている。振れ止め部７７ｄは、ベース部材７２に係合してＮＤフィルタ駆動素子７７のベース部材７２に対する位置を、保持部材ユニット７９をベース部材７２に取り付ける過程、及び、取り付けた状態で制限する第１の係合部として機能する。
振れ止め部７７ｄは、位置決め軸７７ｃが位置決め穴７２ｂへ嵌合することによって回転方向に制限されたＮＤフィルタ駆動素子７７のベース部材７２に対する回転移動を制限するように設けられている。
【００３９】
図１０は、ベース部材７２を示す図である。図１０（ａ）は、ベース部材７２をＺプラス側から見た状態を示し、図１０（ｂ）は、ベース部材７２をＺプラス側かつ若干Ｙマイナス側から見た斜視図を示している。
ベース部材７２には、シャッタ駆動素子７６の位置決め軸７６ｃに嵌合する位置決め穴７２ａ、シャッタ駆動素子７６の振れ止め部７６ｄに嵌合する振れ止め凹部７２ｃが備えられている。
また、ベース部材７２には、シャッタ駆動素子７６に対応する部分と同様にＮＤフィルタ駆動素子７７の位置決め軸７７ｃに嵌合する位置決め穴７２ｂ及びＮＤフィルタ駆動素子７７の振れ止め部７７ｄに嵌合する振れ止め凹部７２ｄが備えられている。
つまり、保持部材ユニット７９をベース部材７２に取り付けた状態では、シャッタ駆動素子７６とＮＤフィルタ駆動素子７７は、ベース部材７２に対して正確に位置決めをすることができる。よってシャッタ羽根８０，８１の駆動、及び、ＮＤフィルタ８３の駆動を正確に行うことができる。
【００４０】
前述したように、保持部材ユニット７９に取り付けられているシャッタ駆動素子７６及びＮＤフィルタ駆動素子７７は、図７の矢印Ｅ方向及び図８の矢印Ｇ方向に弾性力を受けており、仮固定として片寄せされながらベース部材７２に組み立てられる。
図１０（ｂ）に示されるように、ベース部材７２は、振れ止め凹部７２ｃと７２ｄの一面を形成する第１の壁部７２ｅ，７２ｆを有する。また、ベース部材７２は、振れ止め凹部７２ｃと７２ｄの一面を形成する第２の壁部７２ｇ，７２ｈをそれぞれ第１の壁部７２ｅ，７２ｆに対向する位置に有している。第１の壁部７２ｅ，７２ｆは、第２の壁部７２ｇ，７２ｈよりもＺ方向の高さが高くなっている。したがって、保持部材ユニット７９を組み立てる時、シャッタ駆動部材７６及びＮＤフィルタ駆動素子７７は、振れ止め部７６ｄ及び７７ｄがそれぞれ第１の壁部７２ｅ，７２ｆに当接しながら組み立てることができる。このように、保持部材ユニット７９を組み立てる時、保持部材ユニット７９をＹプラス側へ片寄せしながら組み立てることにより、シャッタ駆動部材７６及びＮＤフィルタ駆動素子７７の位置ががたつくことなくスムーズに組み立てを行うことができる。
【００４１】
シャッタ駆動素子７６及びＮＤフィルタ駆動素子７７を振れ止め部７６ｄ及び７７ｄがベース部材７２の振れ止め凹部７２ｃ及び７２ｄに嵌合する時の移動の自由度は、位置決め軸７６ｃ方向の矢印Ｉ方向及び位置決め軸７７ｃ方向の矢印Ｊ方向のみである。つまり、振れ止め凹部７２ｃ及び７２ｄに振れ止め部７６ｄ及び７７ｄが嵌合する時、シャッタ駆動素子７６及びＮＤフィルタ駆動素子７７は、位置決め方向（矢印Ｉ及びＪ方向）にのみガタが生じてしまい、組み立て作業性が悪くなる。
【００４２】
そこで本実施形態では、位置決め方向（矢印Ｉ及びＪ方向）でシャッタ駆動素子７６及びＮＤフィルタ駆動素子７７の移動を制限してガタを防止する第２の制限部を設けた。
図１１は、保持部材７８をＺマイナス側から見た斜視図である。
本実施形態では、第２の制限部として、保持部材７８の回転防止部７８ａの回転防止面７８ｃに近接する側面、及び、回転防止部７８ｂの回転防止面７８ｄに近接する側面にガタ防止部７８ｅ及び７８ｆをそれぞれ設けた。
【００４３】
図１２は、保持部材ユニット７９の組み立て状態を示す図である。
前述のように、組み立て工程中におけるシャッタ駆動素子７６及びＮＤフィルタ駆動素子７７のガタによる移動方向は、矢印Ｉ方向及び矢印Ｊ方向である。
シャッタ駆動素子７６に対するガタ防止部７８ｅは、矢印Ｉ方向の移動を制限するようにシャッタ駆動素子７６の中心にある位置決め軸７６ｃに対して反対側に配置されている。これにより効果的に矢印Ｉ方向のガタを防止することができる。
【００４４】
一方、ＮＤフィルタ駆動素子７７のガタ防止部７８ｆは、矢印Ｊ方向の移動を制限するようにＮＤフィルタ駆動素子７７の回転中心にある位置決め軸７７ｃ対して完全に反対側となる位置から若干ずれた反対側の近傍に配置されている。この時、フレキシブルプリント基板７３の弾性力は、矢印Ｇ方向に作用する。フレキシブルプリント基板７３の弾性力は前述したように、回転防止部７８ｂにより効果的に回転防止されるために、Ｇ方向へ倒れてガタつくことはない。つまり、ＮＤフィルタ駆動素子７７が矢印Ｊ方向に移動しかかった時であっても、ガタ防止部７８ｆによってＧ方向へは動かずに効果的にガタを防止できる。
【００４５】
このような第２の制限部としてのガタ防止部７８ｅ及び７８ｆを備えることで、保持部材ユニット７９に取り付けられたシャッタ駆動素子７６及びＮＤフィルタ駆動素子７７は、がたつくことなくベース部材７２に対して簡単に組み立てることが可能となる。
【００４６】
組み立て完了後には、シャッタ駆動素子７６及びＮＤフィルタ駆動素子７７は、位置決め軸７６ｃ及び７７ｃが、ベース部材７２の位置決め穴７２ａ，７２ｂにそれぞれ嵌合する。また、シャッタ駆動素子７６及びＮＤフィルタ駆動素子７７は、振れ止め部７６ｄ，７７ｄがベース部材７２の振れ止め凹部７２ｃ，７２ｄにそれぞれ嵌合する。これにより、シャッタ駆動素子７６及びＮＤフィルタ駆動素子７７は、ベース部材７２に対してのＸＹ平面（撮影レンズ７１の光軸に垂直な面）内での位置が規制されて位置決めされる。また、Ｚマイナス側は、ベース部材７２に当接し、Ｚプラス側は、押さえ板７４によって押さえられるので、Ｚ方向についても位置決めされる。
【００４７】
以上説明したように、本実施形態によれば、組み立て工程におけるシャッタ駆動素子７６及びＮＤフィルタ駆動素子７７のガタを効果的に防止することができる。よって、組み立て工程の途中でシャッタ駆動素子７６やＮＤフィルタ駆動素子７７がガタによって位置が不安定になったりして、撮影レンズを傷つけることがない。
【００４８】
よって、本実施形態によれば、保持部材ユニット７９をガタつくことなく作業性良く、簡単に組み立てることができる。また、従来の構成のようにシャッタ駆動素子７６及びＮＤフィルタ駆動素子７７を各々別の工程で組み立てないため、組み立て工程の簡素化が可能となる。
その結果として組み立て工程のコストダウンを行うことができる。
【００４９】
（変形形態）
以上説明した実施形態に限定されることなく、種々の変形や変更が可能であって、それらも本発明の範囲内である。
（１）本実施形態において、シャッタ羽根及びＮＤフィルタを駆動する駆動素子を例に挙げて説明したが、これに限らず、例えば、絞りを進退駆動する駆動素子であってもよいし、その他の部材を駆動する駆動素子であってもよい。
【００５０】
（２）本実施形態において、配線部材としてフレキシブルプリント基板を用いる例を示したが、これに限らず、例えば、絶縁体で被覆された導電線であってもよい。
【００５１】
（３）本実施形態において、レンズ鏡筒がカメラ本体に一体的に設けられた形態のカメラを例に挙げて説明したが、これに限らず、例えば、交換レンズタイプのレンズ鏡筒であってもよい。
【００５２】
（４）本実施形態において、デジタルスチルカメラを例に挙げて説明したが、これに限らず、例えば、フィルムカメラであってもよいし、ビデオカメラであってもよいし、監視カメラなど、他の種類の光学機器であってもよい。
【００５３】
なお、実施形態及び変形形態は、適宜組み合わせて用いることもできるが、詳細な説明は省略する。また、本発明は以上説明した実施形態によって限定されることはない。
【図面の簡単な説明】
【００５４】
【図１】本発明による光学機器の駆動装置を用いたカメラの実施形態を示す斜視図である。
【図２】シャッタ機構の概要を示す斜視図である。
【図３】シャッタ機構の展開斜視図である。
【図４】フレキシブルプリント基板７３とシャッタ駆動素子７６及びＮＤフィルタ駆動素子７７を示す図である。
【図５】シャッタ機構を後側から見た斜視図である。
【図６】保持部材ユニット７９の斜視図である。
【図７】図６中の矢印Ｃ方向から見た側面図である。
【図８】図６中の矢印Ｄ方向から見た側面図である。
【図９】フレキシブルプリント基板７３とシャッタ駆動素子７６及びＮＤフィルタ駆動素子７７を後側（Ｚマイナス側）から見た図である。
【図１０】ベース部材７２を示す図である。
【図１１】保持部材７８をＺマイナス側から見た斜視図である。
【図１２】保持部材ユニット７９の組み立て状態を示す図である。
【符号の説明】
【００５５】
１    撮像装置
１０  カメラ筐体
２０  レンズ鏡筒
３０  レンズバリア部
４０  発光窓部
５０  ファインダ窓
６０  レリーズボタン
７１  撮影レンズ
７２  ベース部材
７２ａ  位置決め穴
７２ｂ  位置決め穴
７２ｃ  振れ止め凹部
７２ｄ  振れ止め凹部
７２ｅ，７２ｆ  第１の壁部
７２ｇ，７２ｈ  第２の壁部
７３  フレキシブルプリント基板
７４  押さえ板
７５  取り付けねじ
７６  シャッタ駆動素子
７６ａ  シャッタ駆動レバー部
７６ｂ  半田付け部
７６ｃ  位置決め軸
７６ｄ  振れ止め部
７７  ＮＤフィルタ駆動素子
７７ａ  ＮＤフィルタ駆動レバー部
７７ｂ  半田付け部
７７ｃ  位置決め軸
７７ｄ  振れ止め部
７８  保持部材
７８ａ  回転防止部
７８ｂ  回転防止部
７８ｃ  回転防止面
７８ｄ  回転防止面
７８ｅ，７８ｆ  ガタ防止部
７９  保持部材ユニット
８０，８１  シャッタ羽根
８２  駆動穴
８３  ＮＤフィルタ
８３ａ  駆動穴
８４  仕切り板
８５  カバー
【図１】
2010044325.tif 000003
【図２】
2010044325.tif 000004
【図３】
2010044325.tif 000005
【図４】
2010044325.tif 000006
【図５】
2010044325.tif 000007
【図６】
2010044325.tif 000008
【図７】
2010044325.tif 000009
【図８】
2010044325.tif 000010
【図９】
2010044325.tif 000011
【図１０】
2010044325.tif 000012
【図１１】
2010044325.tif 000013
【図１２】
2010044325.tif 000014